(57)【要約】【課題】自体にタイマーが付いてない電器のタイマーとして使用することができ、そしてタイマー付き電器の補助タイマーとして使用することもできる電流感応触発型タイマー付きソケットを提供する。【解決手段】メーンリレー回路と、磁電リレー回路と、カウンター回路と、離脱保持回路と、時間設定可能スイッチ回路と、感応増幅回路と、オーバーロード測定回路と、家庭用ソケットと、第二タイマー付きソケットとを含む電流感応触発型タイマー付きソケットにおいて、前記メーンリレー回路は、出力リレーと電圧入力端とから構成され、前記磁電リレー回路は、コンデンサーと、ダイオードと磁電リレーと抵抗とから構成され、前記カウンター回路は、整流器とカウンターと計時選択スイッチとから構成され、前記離脱保持回路は、ネオン管と光線作動ダイオードと３番演算増幅器と信号触発トランジスタとダイオードと抵抗とから構成される。【選択図】図１
0003134509.tif 000002
【実用新案登録請求の範囲】
【請求項１】
メーンリレー回路と、磁電リレー回路と、カウンター回路と、離脱保持回路と、時間設定可能スイッチ回路と、感応増幅回路と、オーバーロード測定回路と、家庭用ソケットと、第二タイマー付きソケットとを含む電流感応触発型タイマー付きソケットにおいて、前記メーンリレー回路は、出力リレーと、電圧入力端とから構成され、出力リレーの動作により、前記電圧入力端は家庭用ソケット、又は第二タイマー付きソケットと連通し、前記磁電リレー回路は、コンデンサーと、ダイオードと、磁電リレーと、抵抗とから構成され、時間設定可能スイッチ回路にある触発トランジスタの信号を受けて出力リレーを作動し、前記カウンター回路は、直流電流を供給する整流器と、計数用の直列接続された七つのカウンターと、計時選択スイッチとから構成され、前記離脱保持回路は、ネオン管と、光線作動ダイオードと、電圧を増幅し整流するための３番演算増幅器と、信号触発トランジスタと、ダイオードと、抵抗とから構成され、前記時間設定可能スイッチ回路は、分間、十分間と時間を単位とする３組の設定ツマミと、互いに直列接続された３組の触発トランジスタとから構成され、前記感応増幅回路は、変圧器と、定格抵抗と、一組の演算増幅器と、抵抗と、コンデンサーとから構成され、前記家庭用ソケットは、一般の電器と接続してタイマーとする機能があり、前記第二タイマー付きソケットは、他のタイマー付きソケットと直列接続し、前記オーバーロード測定回路は、演算増幅器と、バイアス値が予め設定されたトランジスタとから構成され、定格抵抗を流し通す電流がオーバーロードしているかどうかを測定し、一般の電器のプラグが前記タイマー付きソケットに挿入すると、ソケット内の定格抵抗の両端の電圧が降下して、演算増幅器は前記信号を増幅してカウンター回路に転送し、カウンターが設定値になったときに、前記設定ツマミの信号が信号触発トランジスタに転送されて磁電リレーを作動して出力リレーを作動し、これにより、前記電器の電源が中断され、且つ前記離脱保持回路により出力リレーの吸着された状態を維持し、その後に、前記電器のスイッチをオフすれば、前記離脱保持回路が中断されて、出力リレーが吸着された状態から本来の状態に回復し、また、定格抵抗を流し通す電流が大きすぎると、前記感応増幅回路から前記オーバーロード測定回路に伝送される信号はきっと前記オーバーロード測定回路に予め設定されたバイアス値をオーバーし、このとき、オーバーロード触発トランジスタが起動されて、磁石感応リレーと出力リレーとの電流を遮断し、電気による被害を防止することを特徴とする、電流感応触発型タイマー付きソケット。
【請求項２】
出力リレーの動作により、前記電圧入力端は家庭用ソケット、又は第二タイマー付きソケットと連通して複数のタイマー付きソケットは使用可能になることを特徴とする、請求項１に記載の電流感応触発型タイマー付きソケット。
【請求項３】
前記七つのカウンターは、それぞれ五進法ベース、十進法ベース、六進法ベース、十進法ベース、十進法ベース、六進法ベース、十進法ベースであることを特徴とする、請求項１に記載の電流感応触発型タイマー付きソケット。
【請求項４】
計時スイッチにより、前記カウンター回路は、カウンター３Ｃ３のＰ端子又は３Ｃ５のＱ端子と選択的に連接して、分間単位又は秒間単位の設定をすることを特徴とする、請求項１に記載の電流感応触発型タイマー付きソケット。
【請求項５】
前記時間設定可能スイッチ回路の設定ツマミは、トグルスイッチ、又は一入力点十出力点および一入力点六出力点の回転式スイッチであることを特徴とする、請求項１に記載の電流感応触発型タイマー付きソケット。
【請求項６】
前記離脱保持回路と磁電リレー回路とは連動装置であり、そして上記部材の代りに、ＣｄＳ抵抗とネオン管とのカップリングによって珪素制御スイッチを作動すること、又は自己保持リレーを利用することも同様な効果を有することを特徴とする、請求項１に記載の電流感応触発型タイマー付きソケット。
【請求項７】
前記オーバーロード測定回路の内部にバイアス値が予め設定され、定格抵抗を流し通す電流が大きすぎると、前記感応増幅回路から前記オーバーロード測定回路に伝送される信号はきっと前記バイアス値をオーバーし、このとき、オーバーロード触発トランジスタが起動されて、磁石感応リレーと出力リレーとの電流が遮断されることを特徴とする、請求項１に記載の電流感応触発型タイマー付きソケット。
【考案の詳細な説明】
【技術分野】
【０００１】
本考案は、電流感応触発型タイマー付きソケットに係り、特に、電器の使用を開始した直後に、電流がソケットのタイマーを通過してタイマーを触発して計時を開始する電流感応触発型タイマー付きソケットに関するものである。
【背景技術】
【０００２】
一般のユーザは、電器（例えばアイロンなど）を使用した後に電源を切ることを忘れることはよくあり、電力を無駄にすると共に、アイロンの高温は周辺の家具を燃焼する危険性もある。一方、電器自体にタイマーが付いても、タイマーの設定はよく忘れるので、電源を適時に切ることは依然としてできない。
【考案の開示】
【考案が解決しようとする課題】
【０００３】
本考案の主な目的は、自体にタイマーが付いてない電器のタイマーとして使用することができ、そしてタイマー付き電器の補助タイマーとして使用することもできる電流感応触発型タイマー付きソケットを提供する。
【課題を解決するための手段】
【０００４】
上記目的を達成するためになされた本考案は、メーンリレー回路と、磁電リレー回路と、カウンター回路と、離脱保持回路と、時間設定可能スイッチ回路と、感応増幅回路と、オーバーロード測定回路と、家庭用ソケットと、第二タイマー付きソケットとを含む電流感応触発型タイマー付きソケットにおいて、前記メーンリレー回路は、出力リレーと、電圧入力端とから構成され、出力リレーの動作により、前記電圧入力端は家庭用ソケット、又は第二タイマー付きソケットと連通し、前記磁電リレー回路は、コンデンサーと、ダイオードと、磁電リレーと、抵抗とから構成され、時間設定可能スイッチ回路にある触発トランジスタの信号を受けて出力リレーを作動し、前記カウンター回路は、直流電流を供給する整流器と、計数用の直列接続された七つのカウンターと、計時選択スイッチとから構成され、前記離脱保持回路は、ネオン管と、光線作動ダイオードと、電圧を増幅し整流するための３番演算増幅器と、信号触発トランジスタと、ダイオードと、抵抗とから構成され、前記時間設定可能スイッチ回路は、分間、十分間と時間を単位とする３組の設定ツマミ（スイッチ）と、互いに直列接続された３組の触発トランジスタとから構成され、前記感応増幅回路は、変圧器と、定格抵抗と、一組の演算増幅器と、抵抗と、コンデンサーとから構成され、前記家庭用ソケットは、一般の電器と接続してタイマーとする機能があり、前記第二タイマー付きソケットは、他のタイマー付きソケットと直列接続し、前記オーバーロード測定回路は、演算増幅器と、バイアス値が予め設定されたトランジスタとから構成され、定格抵抗を流し通す電流がオーバーロードしているかどうかを測定し、一般の電器のプラグが前記タイマー付きソケットに挿入すると、ソケット内の定格抵抗の両端の電圧が降下して、演算増幅器は前記信号を増幅してカウンター回路に転送し、カウンターが設定値になったときに、前記設定ツマミの信号が信号触発トランジスタに転送されて磁電リレーを作動して出力リレーを作動し、これにより、前記電器の電源が中断され、且つ前記離脱保持回路により出力リレーの吸着された状態を維持し、その後に、前記電器のスイッチをオフすれば、前記離脱保持回路が中断されて、出力リレーが吸着された状態から本来の状態に回復し、また、定格抵抗を流し通す電流が大きすぎると、前記感応増幅回路から前記オーバーロード測定回路に伝送される信号はきっと前記オーバーロード測定回路に予め設定されたバイアス値（すなわち、オーバーロード限界値）をオーバーし、このとき、オーバーロード触発トランジスタが起動されて、磁石感応リレーと出力リレーとの電流を遮断し、電気による被害を防止することを特徴とする電流感応触発型タイマー付きソケットであることを要旨としている。
【０００５】
本考案では、出力リレーの動作により、前記電圧入力端は家庭用ソケット、又は第二タイマー付きソケットと連通して複数のタイマー付きソケットは使用可能になることを特徴とする請求項１に記載の電流感応触発型タイマー付きソケットであることを要旨としている。
【０００６】
本考案では、前記七つのカウンターは、それぞれ五進法ベース、十進法ベース、六進法ベース、十進法ベース、十進法ベース、六進法ベース、十進法ベースであることを特徴とする請求項１に記載の電流感応触発型タイマー付きソケットであることを要旨としている。
【０００７】
本考案では、計時スイッチにより、前記カウンター回路は、カウンター３Ｃ３のＰ端子又は３Ｃ５のＱ端子と選択的に連接して、分間単位又は秒間単位の設定をすることを特徴とする請求項１に記載の電流感応触発型タイマー付きソケットであることを要旨としている。
【０００８】
本考案では、前記時間設定可能スイッチ回路の設定ツマミ（スイッチ）は、トグルスイッチ、又は一入力点十出力点および一入力点六出力点の回転式スイッチであることを特徴とする請求項１に記載の電流感応触発型タイマー付きソケットであることを要旨としている。
【０００９】
本考案では、前記離脱保持回路と磁電リレー回路とは連動装置であり、そして上記部材の代りに、ＣｄＳ抵抗とネオン管とのカップリングによって珪素制御スイッチ（ＴＲＩＡＣ）を作動すること、又は自己保持リレー（Keep Relay）を利用することも同様な効果を有することを特徴とする請求項１に記載の電流感応触発型タイマー付きソケットであることを要旨としている。
【００１０】
本願の考案では、前記オーバーロード測定回路の内部にバイアス値が予め設定され、定格抵抗を流し通す電流が大きすぎると、前記感応増幅回路から前記オーバーロード測定回路に伝送される信号はきっと前記バイアス値（すなわち、オーバーロード限界値）をオーバーし、このとき、オーバーロード触発トランジスタが起動されて、磁石感応リレーと出力リレーとの電流が遮断されることを特徴とする請求項１に記載の電流感応触発型タイマー付きソケットであることを要旨としている。
【考案の効果】
【００１１】
本考案に係る電流感応触発型タイマー付きソケットによれば、次の効果がある。
（イ）タイマーの設定（ツマミ又はボタンの位置）は変更しないので、使用時にタイマーを毎回に設定することは必要ないので、使用は極めて便利である。
【００１２】
（ロ）電器自体のタイマーや電源切り部材は故障になっても、電器の電源は適時に切られるので、安全性は極めて高い。
【００１３】
（ハ）本考案に係る電流感応触発型タイマー付きソケットは複数の電流感応触発型ソケットと直列接続することができ、各電流感応触発型ソケットは各種類の電器と直列接続することができるので、各種類の電器をシーケンス制御することができる。
【００１４】
（二）離脱保持回路４と磁電リレー回路２とは連動装置であり、そして上記部材の代りに、ＣｄＳ抵抗とネオン管とのカップリングによって珪素制御スイッチ（ＴＲＩＡＣ）を作動すること、又は自己保持リレー（Keep Relay）を利用することも同様な効果を有する。
【考案を実施するための最良の形態】
【００１５】
以下、添付図面を参照して本考案の好適な実施の形態を詳細に説明する。
【００１６】
本考案に係る電流感応触発型タイマー付きソケットは、メーンリレー回路１と、磁電リレー回路２と、カウンター回路３と、離脱保持回路４と、時間設定可能スイッチ回路５と、感応増幅回路６と、家庭用ソケット７と、第二タイマー付きソケット８と、オーバーロード測定回路９とを含む。
【００１７】
前記メーンリレー回路１は、インダクタンスと、Ｃ、ＮＣ、ＮＯ三つの接点を有する出力リレーと、電圧入力端Ａ，Ｂとから構成され、出力リレーの動作により、前記電圧入力端は家庭用ソケット７、又は第二タイマー付きソケット８と連通する。だから、本考案に係る電流感応触発型タイマー付きソケットは複数の電流感応触発型ソケットと直列接続することができ、各電流感応触発型ソケットは各種類の電器と直列接続することができるので、各種類の電器をシーケンス制御することができる。
【００１８】
前記磁電リレー回路２は、整流および波形ろ過機能を有するコンデンサー２Ｃと、ダイオードＤ１，Ｄ２と、磁電リレー２１と、抵抗２Ｒとから構成され、時間設定可能スイッチ回路５にある触発トランジスタＴｒ１，Ｔｒ２，Ｔｒ３の信号を受けて出力リレーを作動する。
【００１９】
前記カウンター回路３は、直流電流を供給する整流器と、フリップフロップ３Ｃ９と、計数用の直列接続された七つのカウンター３Ｃ１〜３Ｃ７と、計時選択スイッチ３Ｓ１とから構成され、前記七つのカウンター３Ｃ１〜３Ｃ７は、それぞれ五進法ベース、十進法ベース、六進法ベース、十進法ベース、十進法ベース、六進法ベース、十進法ベースであり、また、カウンター３Ｃ３には入力端子Ｐが設けてあり、カウンター３Ｃ５には入力端子Ｑが設けてあり、カウンター３Ｃ２には出力端子Ｇが設けてあり、計時選択スイッチ３Ｓ１により、出力端子Ｇが入力端子Ｐと連接したときには、設定可能の最長時間は９時間５９分間であり、なお、出力端子Ｇが入力端子Ｐと連接したときには、設定可能の最長時間は９分間５９秒間である。
【００２０】
前記離脱保持回路４は、タイマー付きソケットに電器のプラグを挿入して設定時間になった際に、出力リレー１１が作動し、その共用点Ｃと経常時オン点ＮＣとは離脱した状態になり、共用点Ｃは電源Ａ点と接続し、経常時オン点ＮＣは定格抵抗ＲＭを経由して家庭用ソケット７と連通して電気の内部を経由して電源Ｂ点に到達し、だから、共用点Ｃと経常時オン点ＮＣとの間に回流電圧が発生する。前記電圧はネオン管４１を発光させて光線作動ダイオード４２を作動して、磁電リレー２１を吸着状態に保持して、出力リレー１１を吸着状態に保持し、これにより、電器の電源が切られた。そして、前記離脱保持回路４は、ネオン管４１と、光線作動ダイオード４２と、電圧を増幅し整流するための３番演算増幅器ＯＰ３と、信号触発トランジスタＴｒ４と、ダイオードＤ４と、抵抗４Ｒとから構成される。
【００２１】
前記時間設定可能スイッチ回路５は、分間、十分間と時間を単位とする３組の設定ツマミ（スイッチ）５Ｓ１，５Ｓ２，５Ｓ３と、互いに直列接続された３組の触発トランジスタＴｒ１，Ｔｒ２，Ｔｒ３とから構成され、信号を安定するために、カウンター３Ｃ５，３Ｃ６，３Ｃ７と、分間設定ツマミ５Ｓ１、十分間設定ツマミ５Ｓ２、時間設定ツマミ５Ｓ３との間には、分間直列接続ダイオード５Ｄ１、十分間直列接続ダイオード５Ｄ２、時間直列接続ダイオード５Ｄ３がそれぞれ設けてあり、前記時間設定可能スイッチ回路５の設定ツマミ（スイッチ）５Ｓ１，５Ｓ２，５Ｓ３は、トグルスイッチ、又は一入力点十出力点および一入力点六出力点の回転式スイッチである。
【００２２】
前記感応増幅回路６は、変圧器Ｔと、定格抵抗ＲＭと、一組の演算増幅器ＯＰ１，ＯＰ２と、抵抗６Ｒと、コンデンサーとから構成され、且つ安定化された電流をカウンター回路３に供給する。
【００２３】
図２に示すように、本考案に係る電流感応触発型タイマー付きソケットは、設定ツマミ（スイッチ）５Ｓ１，５Ｓ２，５Ｓ３によって時間を設定した後に、電器のプラグを家庭用ソケット７に挿入して電器をオンにしたと、電流が流れ、例えば１１０ボルトの電源を１００ワットの電器に供給すると0.9アンペアの電流が発生し、前記電流は本考案に係る定格抵抗ＲＭを通過して、定格抵抗ＲＭの両端に電圧差を発生し、微小な前記電圧差を信号として増幅して整流した後にカウンター回路３に転送して、カウンター３Ｃ１〜３Ｃ７を触発し、このとき、初歩的なカウンター機能があり、且つ定格抵抗ＲＭの規格は電器に関連し、前記定格抵抗ＲＭは、大きすぎると発熱し、小さすぎるとタイマーを起動できなく、定格抵抗ＲＭは0.01オームであれば、３０〜１０００ワットの電器を使用可能である。
【００２４】
また、図１と図２に示すように、微小な前記電圧差を信号として、１号演算増幅器ＯＰ１と２号演算増幅器ＯＰ２とを経由して信号を増幅して、ダイオードＤ３により整流して、コンデンサー抵抗部品（ＲＣ）により波形ろ過して、カウンター３Ｃ１〜３Ｃ７に転送すると共に、カウンター３Ｃ１〜３Ｃ７をリセットして、電源は５０ヘルツでカウンター３Ｃ１〜３Ｃ７に入力し、電源の累積変換回数は、設定ツマミ（スイッチ）５Ｓ１，５Ｓ２，５Ｓ３の設定時間になると、時間設定可能スイッチ回路５の触発トランジスタＴｒ１，Ｔｒ２，Ｔｒ３は磁電リレー２１を起動して出力リレー１１を作動して電器の電源を切る。
【００２５】
電器が通電中に設定時間になると、出力リレー１１が作動し、その共用点Ｃと経常時オン点ＮＣとが離脱になり、共用点Ｃは電源Ａ点と接続し、経常時オン点ＮＣは定格抵抗ＲＭを経由して家庭用ソケット７と連通して電気の内部を経由して電源Ｂ点に到達し、だから、共用点Ｃと経常時オン点ＮＣとの間に回流電圧が発生し、前記電圧はネオン管４１を発光させて光線作動ダイオード４２を作動し、上記光線カップリング状態によって発生する信号電圧が３番演算増幅器ＯＰ３に転送されて増幅し整流して信号触発トランジスタＴｒ４に出力して、磁電リレー２１を吸着状態に保持して、出力リレー１１を吸着状態に保持し、これにより、電器の電源が切られた。電器のスイッチをオフしたと、出力リレー１１の経常時オン点ＮＣから定格抵抗ＲＭを経由して家庭用ソケット７を経由して電気の内部を経由して電源Ｂ点までの回路が切断され、だから、共用点Ｃと経常時オン点ＮＣとの間の電圧が消失し、ネオン管４１と、光線作動ダイオード４２と、３番演算増幅器ＯＰ３との出力も停止になり、これにより、磁電リレー２１は離脱状態になって、出力リレー１１は本来の状態になる。このとき、次回の計時プロセスを開始することはできるようになる。
【００２６】
前記オーバーロード測定回路９は、電器に流し通している電流を即時に監視でき、前記電流が前記オーバーロード測定回路９に予め設定されたバイアス値（すなわち、オーバーロード限界値）をオーバーする場合には、オーバーロード触発トランジスタＴｒ5が即時に起動されて、磁石感応リレーと出力リレーとの電流を遮断し、上記遮断プロセスが一秒間以内に完成でき、従来の熱電対式オーバーロードスイッチの数十秒間から数分間の遮断時間に比べて、本考案の遮断時間が大幅に短縮される。
【図面の簡単な説明】
【００２７】
【図１】本考案に係る制御回路のブロック図である。
【図２】本考案に係る制御回路の回路図である。
【図３】本考案に係る制御回路の一部の拡大図である。
【図４】本考案に係るソケットの外部のレーアウトである。
【符号の説明】
【００２８】
１        メーンリレー回路
１１      出力リレー
Ａ        電圧入力端
Ｂ        電圧入力端
Ｃ        出力リレー共用点
ＮＣ      出力リレー経常時オン点
ＮＯ      出力リレー経常時オフ点
２        磁電リレー回路
２１      磁電リレー
２Ｒ      抵抗
２Ｃ      コンデンサー
Ｄ１      ダイオード
Ｄ２      ダイオード
３        カウンター回路
３Ｃ１〜３Ｃ７  カウンター
３Ｃ９    フリップフロップ
３１      ブリッジ整流器
３Ｓ１    選択スイッチ
Ｄ３      ダイオード
３Ｒ      抵抗
４        離脱保持回路
４１      ネオン管
ＯＰ３    ３番演算増幅器
Ｄ４      ダイオード
４Ｒ      抵抗
Ｔｒ４    信号触発トランジスタ
５        時間設定可能スイッチ回路
Ｔｒ１    触発トランジスタ
Ｔｒ２    触発トランジスタ
Ｔｒ３    触発トランジスタ
５Ｓ１    分間設定ツマミ
５Ｓ２    十分間設定ツマミ
５Ｓ３    時間設定ツマミ
５Ｄ１    分間直列接続ダイオード
５Ｄ２    十分間直列接続ダイオード
５Ｄ３    時間直列接続ダイオード
６        感応増幅回路
６Ｒ      抵抗
ＯＰ１    １号演算増幅器
ＯＰ２    ２号演算増幅器
ＲＭ      定格抵抗
Ｔ        変圧器
７        家庭用ソケット
８        第二タイマー付きソケット
９        オーバーロード測定回路
９ＶＲ      バイアス限界値設定抵抗
Ｔｒ5      オーバーロード触発トランジスタ
ＯＰ4      ４番演算増幅器
【図１】
0003134509.tif 000003
【図２】
0003134509.tif 000004
【図３】
0003134509.tif 000005
【図４】
0003134509.tif 000006